(57)【要約】【課題】　製品の信頼性及び外観性に優れると共に、高い接触信頼性が得られるシートタイプの押釦スイッチを提供すること。【解決手段】　回路基板８上に周辺固定接点と中央固定接点の対からなる複数組の固定接点９、１０を設けると共に、この回路基板８上にスぺーサ１１を介してシート部材１２を固着し、スぺーサ１１に形成された収納孔１１ａ内にドーム状の可動接点５を収納する。この可動接点５の内面側にその頂点部５ａを包囲するように複数個の突起部５ｃを形成し、この頂点部５ａを被押圧部として可動接点５を反転させた際に、頂点部５ａが可動領域となって突起部５ｃを中央固定接点１０に接触させるようにした。【選択図】　図４
2004139997.tif 000002
【特許請求の範囲】
【請求項１】
　回路基板と、この回路基板上に設けられた複数の中央固定接点および周辺固定接点と、前記周辺固定接点上に載置されて前記中央固定接点と接離可能な複数のドーム状の可動接点と、前記回路基板上に固着されて前記可動接点を被覆するシート部材とを備え、前記可動接点の内面側にその頂点部を包囲するように複数個の突起部を形成し、この頂点部を被押圧部として前記可動接点を反転させた際に、前記各突起部によって包囲された頂点部が可動領域となって該突起部を前記中央固定接点に接触させるように構成したことを特徴とする押釦スイッチ。
【請求項２】
　前記各可動接点に全て同じ個数の前記突起部が形成されると共に、これら突起部が全て同一方向を向くように配列されていることを特徴とする請求項１に記載の押釦スイッチ。
【請求項３】
　前記シート部材と前記回路基板との間に絶縁材からなるスペーサが介設されており、このスペーサに形成された複数の収納孔内に前記可動接点が収納されていることを特徴とする請求項１または２に記載の押釦スイッチ。
【発明の詳細な説明】
【技術分野】
【０００１】
　本発明は、各種電子機器の操作用スイッチとして使用される押釦スイッチに係り、特に、ドーム状の可動接点を備えたシートタイプの押釦スイッチに関する。
【背景技術】
【０００２】
　従来の押釦スイッチの構造としては図５乃至図７に示すものがある（例えば、特許文献１参照）。図５はハウジングタイプの押釦スイッチの断面図、図６は可動接点と固定接点が接触した状態を示す部分詳細図、図７はシートタイプの可動接点と固定接点を示す部分詳細図である。
【０００３】
　図５及び図６において、ハウジング２１は、合成樹脂などの成形材で上面が開口された箱状に形成されており、この内底部には、黄銅などの導電性の金属材から形成された固定接点２２、２３が配設されている。この固定接点２２、２３は、前記ハウジング２１にインサート成形などの方法で埋設されており、その他端側には前記ハウジングの外方へ延設された接続端子２４、２５が形成されている。
【０００４】
　可動接点２６は、ステンレスやリン青銅などのばね材により反転可能なドーム状に形成されており、この可動接点２６の下端周縁部は、前記ハウジング２１の内底部に配設された一方の前記固定接点２２に接触した状態で前記ハウジング２１内に載置されている。また、前記可動接点２６の頂点部は、他方の前記固定接点２３と一定の間隔が保持されて対向配置されており、この可動接点２６の頂点部には上方へ突出した円筒状の円筒突部２６ａが設けられている。この円筒突部２６ａは、その底部２６ｂを上にし、その周端縁部２６ｃを下にして前記可動接点２６と一体的に形成されている。
【０００５】
　ステム２７は、合成樹脂などの成形材で形成され、前記可動接点２６のドーム状の頂点部を押圧する押圧部２７ａと、前記ハウジング２１の開口を覆う金属板からなるカバー２８に係止される係止部２７ｂと、外部から人間の指などで操作される操作部２７ｃとを備えている。
【０００６】
　ここで、上述した押釦スイッチの動作を説明すると、前記ステム２７の操作部２７ｃが押圧操作され前記ステム２７が押し下げられると、前記押圧部２７ａが前記可動接点２６の頂点部に設けられた前記円筒突部２６ａを押圧することで前記可動接点２６は反転し、頂点部に設けられた前記円筒突部２６ａが前記固定接点２３に接触する。その結果、前記固定接点２２と前記固定接点２３とが前記可動接点２６を介して接続されるものとなる。
【０００７】
　この場合に、前記可動接点２６の頂点部には上方へ突出した円筒状の円筒突部２６ａが設けられており、この円筒突部２６ａの前記周端縁部２６ｃが前記固定接点２３に接触することから、前記固定接点２３の中央部２３ａに集積する傾向にある塵埃３４を避けた場所で接触が行われるため、頂点部が前記固定接点２３の中心部２３ａに直接接触する構造のものに比較して接触が安定し、接触信頼性が向上されている。
【０００８】
　図７は、前記可動接点２６をシートタイプの押釦スイッチに使用した場合を示す。図において、回路基板３５はフェノール樹脂などの絶縁性の積層板からなり、この回路基板３５上には、銅箔などをエッチング加工することにより固定接点２９、３０が設けられている。この固定接点２９、３０上には、前記可動接点２６が配設され、この可動接点２６上には、ＰＥＴ（ポリエチレンテレフタレート）などのシート部材３１が被覆されたものとなっている。スぺーサ３２は、ＰＥＴ（ポリエチレンテレフタレート）などの絶縁材で板状に形成されており、前記回路基板３５と前記シート部材３１の間に挟持され、前記可動接点２６の収納される収納孔３２ａを形成している。尚、図示していないが、前記回路基板３５には複数個の前記固定接点２９、３０、及び可動接点２６が設けられている。
【０００９】
　上述したシートタイプの押釦スイッチにおいては、前記シート部材３１の上から人間の指などで直接操作しても良いが、このシート部材３１上に別のステム（図示せず）などを設けてこのステムを介して操作するようにしても良い。
【特許文献１】特開平１０−１３４６６７号公報（第３頁、図１）
【発明の開示】
【発明が解決しようとする課題】
【００１０】
　しかしながら、上述した従来のシートタイプの押釦スイッチにおいては、ドーム状の可動接点２６の頂点部に上方へ突出した円筒状の円筒突部２６ａが設けられており、この円筒突部２６ａはその底部を上にした状態で可動接点２６と一体的に結合されていることから、円筒状の円筒突部２６ａに囲まれた内部は反転時に非可動領域となり、操作時の操作フィーリングに悪影響を及ぼしてしまうという問題があった。また、可動接点２６の上方へ突出した円筒状の円筒突部２６ａがあるため、円突筒部２６ａの周囲部とシート部材３１との間に隙間３３が生じてしまい、密着性が悪く、製品の信頼性及び外観上に問題があった。
【００１１】
　本発明は、このような従来技術の実情に鑑みてなされたもので、その目的は、製品の信頼性及び外観性に優れると共に、高い接触信頼性が得られるシートタイプの押釦スイッチを提供することにある。
【課題を解決するための手段】
【００１２】
　上記の目的を達成するために、本発明の押釦スイッチは、回路基板と、この回路基板上に設けられた複数の中央固定接点および周辺固定接点と、前記周辺固定接点上に載置されて前記中央固定接点と接離可能な複数のドーム状の可動接点と、前記回路基板上に固着されて前記可動接点を被覆するシート部材とを備え、前記可動接点の内面側にその頂点部を包囲するように複数個の突起部を形成し、この頂点部を被押圧部として前記可動接点を反転させた際に、前記各突起部によって包囲された頂点部が可動領域となって該突起部を前記中央固定接点に接触させるように構成した。
【００１３】
　このように構成された押釦スイッチでは、回路基板とシート部材との間に配置された複数の可動接点が上面側に上方へ突出した突起部のないドーム状に形成されていることから、可動接点とシート部材との密着性が良好となり、製品の信頼性及び外観性が向上する。しかも、ドーム状の頂点部を被押圧部として可動接点を反転させた際に、各突起部によって包囲された頂点部が可動領域となって突起部が中央固定接点に接触するため、可動接点と中央固定接点の接触信頼性を高めることができる。
【００１４】
　上記の構成において、各可動接点に全て同じ個数の突起部が形成されると共に、これら突起部が全て同一方向を向くように配列されていることが好ましく、また、シート部材と回路基板との間に絶縁材からなるスペーサが介設され、このスペーサに形成された複数の収納孔内に可動接点が収納されていることが好ましい。
【発明の効果】
【００１５】
　本発明の押釦スイッチは、回路基板とシート部材との間に配置された複数の可動接点が上方へ突出した突起部のないドーム状に形成されていることから、可動接点とシート部材との密着性が良好となり、製品の信頼性及び外観性が向上するのみならず、ドーム状の頂点部を被押圧部として可動接点を反転させた際に、各突起部によって包囲された頂点部が可動領域となって突起部が中央固定接点に接触するため、可動接点と中央固定接点の接触信頼性を高めることができる。
【発明を実施するための最良の形態】
【００１６】
　以下、発明の実施の形態を図面を参照して説明すると、図１及び図２は本発明の第１の実施形態例であるハウジングタイプの押釦スイッチの構造を示し、図１は押釦スイッチの断面図、図２は可動接点と固定接点が接触した状態を示す部分詳細図である。
【００１７】
　図において、ハウジング１は、合成樹脂などの成形材で上面が開口された箱形に形成されている。このハウジング１の内底部には、黄銅などの導電性の金属材から形成された固定接点２、３が、その表面を表出した状態で配設されている。これら固定接点２、３のうち、外側の固定接点２は周辺固定接点であり、内側の固定接点３は中央固定接点である。また、前記ハウジング１の外側部には、ハウジング１から突出した一対の接続端子４が延設されており、この接続端子４と前記固定接点２、３とは前記ハウジング１の内部で電気的に接続されている。前記固定接点２、３と前記接続端子４は前記ハウジング１にインサート成形などの方法で一体的に埋設されたものとなっている。
【００１８】
　可動接点５は、ステンレスまたはリン青銅などのばね性のある金属材により頂点部５ａを有するドーム状に形成されており、この頂点部５ａが外部からの押圧操作によって反対側に反転するようになっている。前記可動接点５の下端周縁部５ｂは、前記ハウジング１の内底部に配設された一方の前記固定接点（周辺固定接点）２上に載置され、該固定接点２と常時電気的に接触した状態となっており、また、頂点部５ａは、他方の前記固定接点（中央固定接点）３上に一定の間隔を保って対向された状態で配設されている。
【００１９】
　前記可動接点５の前記頂点部５ａには、ドーム状の内面側へ突出した複数個の突起部５ｃが点在して形成されており、この突起部５ｃは、ドーム状の頂点部５ａを除いた部分に環状線上に設けられたものとなっている。また、前記頂点部５ａの上面側には後述するステムの押圧部が当接され、この押圧部を介してステムの操作部が、ドーム状のばね圧により前記ハウジング１の外方へ突出する方向へ付勢されている。
【００２０】
　ステム６は、合成樹脂などの成形材で略円筒状に形成されており、このステム６には、前記可動接点５のドーム状の頂点部５ａに当接して、前記可動接点５を前記固定接点３方向へ押圧する押圧部６ａと、後述する前記ハウジング１の開口を覆う金属板からなるカバーに係止され、前記ハウジング１の外部への飛び出しを防止する係止部６ｂと、前記ハウジング１の外方へ突出され、外部から人間の指などで操作される操作部６ｃとを備えている。
【００２１】
　カバー７は、板状の金属板をプレス加工することにより形成され、中央に前記ステム６の操作部６ｃが貫通される貫通孔７ａが設けられ、前記ハウジング１の上面の開口に取り付けられ、前記ステム６や前記可動接点５の飛び出しを防止するものとなっている。
【００２２】
　次に、上述した押釦スイッチの動作を説明する。前記ステム６の操作部６ｃが、人間の指などによって押圧操作され、前記ステム６が押し下げられると、前記ステム６の下端に設けられた前記押圧部６ａが、前記可動接点５の頂点部５ａを押圧することとなる。この時、前記押圧部６ａの押圧により、前記ドーム状の可動接点５は反転動作し、前記頂点部６ａの内面部に設けられた複数個の突起部５ｃが前記固定接点３に接触する。その結果、前記固定接点２と前記固定接点３とが前記可動接点５を介して電気的に接続されるものとなる。
【００２３】
　この場合に、前記可動接点５の内面側には、ドーム状の頂点部５ａを除いた部分に、環状線上に複数個の突起部５ｃが設けられており、この環状線上の前記突起部５ｃが前記固定接点３に接触することから、前記固定接点３の中央部３ａに集積する傾向にある塵埃（図示せず）を避けた場所で、前記固定接点３と前記可動接点５との接触が行われるため、前記頂点部５ａが前記固定接点３の中央部３ａに直接接触する構造のものに比較して接触が安定し、接触信頼性が向上されたものとなっている。また、前記複数個の突起部５ｃは、各々が独立した状態で点在して形成されていることから、この突起部５ｃの内側に位置するドーム状の頂点部５ａも反転時には可動領域となるため、操作時の操作フィーリングに悪影響を及ぼすということもない。
【００２４】
　図３及び図４は本発明の第２の実施形態例であるシートタイプの押釦スイッチの構造を示し、図３は押釦スイッチの斜視図、図４は可動接点と固定接点部分を示す部分詳細図である。なお、図１及び図２で説明した同一部品については、同一符号を付してその説明を省略する。
【００２５】
　これら図において、回路基板８はフェノール樹脂などの絶縁性の積層板などから形成されている。この回路基板８上には、カーボンなどを印刷したり、銅箔などをエッチング加工することにより固定接点９、１０の回路パターンが複数個設けられている。一組の固定接点９、１０のうち、外側に位置するリング状の固定接点９は周辺固定接点であり、前記可動接点５はこの固定接点９上に載置され、該固定接点２と常時電気的に接触した状態となっている。また、固定接点９の真ん中に位置する固定接点１０は中央固定接点であり、前記可動接点５の頂点部５ａは該固定接点１０の上方に一定の間隔を保って対向された状態で配設されている。
【００２６】
　スぺーサ１１は、例えばＰＥＴ（ポリエチレンテレフタレート）などの絶縁材で板状に形成されており、前記回路基板８と後述するシート部材との間に挟持され固着されるものとなっている。前記スペーサ１１には、複数個の前記可動接点５をその内側に収納し保持する収納孔１１ａが形成されている。
【００２７】
　シート部材１２はＰＥＴ（ポリエチレンテレフタレート）などをシート状にして形成されたもので、前記回路基板８上に載置される前記スペーサ１１と、このスペーサ１１の収納孔１１ａに収納される前記可動接点５とを覆うように前記回路基板８上に固着されている。
【００２８】
　上述したシートタイプの押釦スイッチにおいては、前記シート部材１２の上から人間の指などで直接操作しても良いが、このシート部材１２上に別のステム（図示せず）などを設けてステムを介して操作するようにしても良い。
【００２９】
　上述した本発明の第２の実施形態例の押釦スイッチの構造においても、前記可動接点５の内面側には、ドーム状の頂点部５ａを除いた部分に、環状線上に複数個の突起部５ｃが点在して設けられており、この環状線上の前記突起部５ｃが前記固定接点１０に接触することから、前記固定接点１０の中央部１０ａに集積する傾向にある塵埃を避けた場所で前記固定接点１０と前記可動接点５との接触が行われるため、前記頂点部５ａが前記固定接点１０の中央部１０ａに直接接触する構造のものに比較して接触が安定し、接触信頼性が向上されたものとなっている。また、前記複数個の突起部５ｃは、各々が独立した状態で点在して形成されていることから、この突起部５ｃの内側に位置するドーム状の頂点部５ａも反転時には可動領域となるため、操作時の操作フィーリングに悪影響を及ぼすということもない。
【００３０】
　また、本発明の第２の実施形態例の押釦スイッチの構造においては、前記可動接点５のドーム状の頂点部５ａの上面側には上方へ突出した突起部がないことから、前記可動接点５とシート部材１２との密着性が良く、各々の間に隙間が生じてしまうことがないので、確実な固着が可能となり、製品の信頼性及び外観性が向上される。
【００３１】
　さらに、本発明の第２の実施形態例の押釦スイッチの構造では、１つの可動接点５に３個の突起部５ｃが点在して設けられ、これら突起部５ｃが各可動接点５について全て同じ方向を向くように配列されているため（図３参照）、シートタイプの押釦スイッチとしての完成品の状態で各突起部５ｃの配列方向を目視することにより、簡単に良品／不良品の判別を行うことができる。
【００３２】
　尚、上述した本発明の各実施形態例においては、環状線上に複数個の前記突起部５ｃを設けた場合について説明したが、ドーム状の頂点部５ａを除いた部分であれば、前記突起部５ｃは、必ずしも環状線上に設ける必要はなく、直線状に点在させて設けても良い。
【図面の簡単な説明】
【００３３】
【図１】本発明の第１の実施形態例であるハウジングタイプの押釦スイッチの構造を示す断面図である。
【図２】本発明の同上の可動接点と固定接点が接触した状態を示す部分詳細図である。
【図３】本発明の第２の実施形態例であるシートタイプの押釦スイッチの構造を示す斜視図である。
【図４】本発明の同上の可動接点と固定接点部分を示す部分詳細図である。
【図５】従来のハウジングタイプの押釦スイッチを示す断面図である。
【図６】従来の同上の可動接点と固定接点が接触した状態を示す部分詳細図である。
【図７】従来のシートタイプの可動接点と固定接点を示す部分詳細図である。
【符号の説明】
【００３４】
　１　ハウジング
　２　固定接点（周辺固定接点）
　３　固定接点（中央固定接点）
　３ａ　中央部
　４　接続端子
　５　可動接点
　５ａ　頂点部
　５ｂ　下端周縁部
　５ｃ　突起部
　６　ステム
　６ａ　押圧部
　６ｂ　係止部
　６ｃ　操作部
　７　カバー
　７ａ　貫通孔
　８　回路基板
　９　固定接点（周辺固定接点）
　１０　固定接点（中央固定接点）
　１０ａ　中央部
　１１　スペーサ
　１１ａ　収納孔
　１２　シート部材
【図１】
2004139997.tif 000003
【図２】
2004139997.tif 000004
【図３】
2004139997.tif 000005
【図４】
2004139997.tif 000006
【図５】
2004139997.tif 000007
【図６】
2004139997.tif 000008
【図７】
2004139997.tif 000009